(57)【特許請求の範囲】
【請求項１】
発熱体と、この発熱体を覆う平板状の軟質発泡体と、この軟質発泡体の表面を覆う表面材とを具備し、前記表面材は、熱延伸処理された糸条を経糸と緯糸として織編組された基材と、この基材の両面に設けられ、発泡時の軟質発泡体の浸透を阻止する樹脂層とで構成し、一方の樹脂層を介して前記軟質発泡体に基材を接合させるとともに、前記一方の樹脂層の軟質発泡体への接合側を粗面状とした電気採暖具。
【請求項２】
コロナ放電処理により一方の樹脂層の軟質発泡体への接合側を粗面状とした請求項１記載の電気採暖具。
【請求項３】
一方の樹脂層の軟質発泡体への接合側に穴シートを接着固定して粗面状とした請求項１記載の電気採暖具。
【請求項４】
一方の樹脂層の軟質発泡体への接合側に直接微細な孔を形成して粗面状とした請求項１記載の電気採暖具。
【発明の詳細な説明】
【０００１】
【発明の属する技術分野】
本発明は、電気カーペットなどの電気採暖具の構成に関するものである。
【０００２】
【従来の技術】
従来の電気カーペットなどの電気採暖具は、一般的には図６に示す様にフェルト等の繊維質の断熱材１にコード状のチュービングヒータ等の発熱体２を均一に配設し、その上に熱融着シート３、不織布等の表布４を配置して熱プレスにより熱融着シート３を溶かしつつ断熱材１と表布４を圧着して発熱体２を固定する構成となっている。また、熱融着シート３の代わりに接着剤を使用して断熱材１と表布４を単に圧着して発熱体２を固定する構成のものもある。
【０００３】
しかしながら、このような従来の電気採暖具では、熱プレスによる圧着だけでは発熱体を断熱材に沈み込ますことができないため、表布の表面に発熱体の形が浮き出てしまう、発熱体の浮きの問題があった。
【０００４】
そこで、実開昭６３−５５００８号公報に示されているような採暖具が考えられる。この考案は、図７に示すように、架橋ポリエチレン発泡体よりなる発泡シート５に配管溝６を設け、この配管溝６に温水等の加熱流体を流通させる導管７を敷設した後、表面に被覆材８を被着した構成となっていて、導管７の代わりに発熱体２を使用すれば電気採暖具にも採用できるものである。すなわち、この実開昭６３−５５００８号公報の中で明示されている発泡シート５が、上記に述べた従来例の断熱材１に当たり、被覆材８が表布４に対応することになる。
【０００５】
したがって、この構成であれば、発熱体の浮きの問題は改善される。
【０００６】
【発明が解決しようとする課題】
しかしながら図７の従来の構成では、発泡シート５は発泡体であるために上から人が踏み込んだりすると、裏面は発泡シート５がむき出しで有るために破れが容易に発生していた。その為に図８に示すように裏面にも不織布等の繊維質の裏布１０を取り付ける構成のものがある。
【０００７】
しかしながら通常の不織布では、繊維に方向性が有るため、引き裂き強度が弱く、敷居等の段差がある場合上面から踏みつけられた場合通常の不織布では亀裂が発生していた。また軟質発泡体９の発泡の途中段階では、金型内の発泡圧により不織布（ニードルパンチ）などの繊維で出来ている浸透性のある基材で構成される表布４、裏布１０では表面外側に軟質発泡体９が滲み出し非常に見栄えの悪い物となっていた。また滲み出しによる凹凸が有るために、凹凸にごみがたまり掃除がしにくい物であった。さらに滲み出した凹凸が摩擦によりはがれごみとなると言う様な問題も有していた。
【０００８】
【課題を解決するための手段】
本発明は上記課題を解決するために、発熱体と、この発熱体を覆う平板状の軟質発泡体と、この軟質発泡体の表面を覆う表面材とを具備し、前記表面材は、熱延伸処理された糸条を経糸と緯糸として織編組された基材と、この基材の両面に設けられ、発泡時の軟質発泡体の浸透を阻止する樹脂層とで構成し、一方の樹脂層を介して前記軟質発泡体に基材を接合させるとともに、前記一方の樹脂層の軟質発泡体への接合側を粗面状としたものである。
【０００９】
上記発明によれば、一般に樹脂は、熱延伸処理を施されると、機械的強度が格段に増す事が確認されている。敷居等の段差上で設置され上面から踏みつけられた場合でも、表面材に亀裂が発生せず、軟質発泡体が外側に滲み出してこず、見栄えの良い掃除の行い易い電気採暖具を提供できる。
【００１０】
【発明の実施の形態】
本発明は、発熱体と、この発熱体を覆う平板状の軟質発泡体と、この軟質発泡体の表面を覆う表面材とを具備し、前記表面材は、熱延伸処理された糸条を経糸と緯糸として織編組された基材と、この基材の両面に設けられ、発泡時の軟質発泡体の浸透を阻止する樹脂層とで構成し、一方の樹脂層を介して前記軟質発泡体に基材を接合させるとともに、前記一方の樹脂層の軟質発泡体への接合側を粗面状とした。
【００１１】
したがって、敷居等の段差上に設置されて上面から踏みつけられた場合でも、表面材に
亀裂が発生せず、しかも、樹脂層により軟質発泡体が表面外側に滲み出さず、見栄えの良い掃除の行い易い電気採暖具となる。しかも、一方の樹脂層の軟質発泡体への接合側が粗面状に構成してあるため、軟質発泡体からの表面材の剥離が確実に防止できる。
【００１２】
粗面状とする具体的例としては、コロナ放電処理によるもの、穴シートを接着固定するもの、一方の樹脂層の軟質発泡体への接合側に直接微細な孔を形成するものなどが考えられる。
【００１３】
以下、本発明の実施例を説明する前にその参考実施例を図面を用いて説明する。
【００１４】
（参考実施例１）
図１において、熱源である発熱体２が軟質発泡体９に埋設固定されている。上面には、デザイン性の良いカバー１１がかぶせてある。
【００１５】
図２は、経糸と緯糸を明確に表示するため、経糸と緯糸の隙間を開けて記載してあるが、本実施例では、経糸と緯糸の隙間がなく、目が詰まった状態で実施している。
【００１６】
図３において、表布４は発熱体２が接着部を介して固定されており裏布１０との間に軟質発泡体９が挟まれている。表布４には、軟質発泡体９の発泡の途中段階で、金型内の発泡圧により軟質発泡体９が滲み出さない様に非浸透性の樹脂が塗布されている。
【００１７】
裏布１０は、熱延伸処理を施され、機械的強度が十分にあるフラットヤーン（糸条）を経糸と緯糸として織編組された基材１３に非浸透性をもたせるためにピンホールなどの無い外樹脂１２Ａが層状に塗布された構成となっている。
【００１８】
そして、基材１３の経糸と緯糸の隙間に軟質発泡体が入り込んで絡んでいる。また、外樹脂１２Ａは、滑り止め効果のあるぬめり性のある樹脂を使用している。
【００１９】
基材１３と外樹脂１２Ａの材質としては、ポリエチレン樹脂、ポリエステル樹脂、ナイロン樹脂等がある。表布４の上に設けて使用するカバー１１は、図示していない。
【００２０】
次に作用を説明する。織編組された基材１３の経糸と緯糸の隙間をなくした構成（目が詰まった状態）としたために、全面が熱延伸処理の施されたフラットヤーン（糸条）で覆われる事となり、薄い非浸透性を有する樹脂層に孔が開き、軟質発泡体が滲み出す事がない。
【００２１】
また、裏布１０の基材１３に熱延伸処理を施し、機械的強度が十分にあるフラットヤーン（糸条）を経糸と緯糸として織編組された物を使用した為敷居等の段差上で上面から踏みつけられた場合でも、裏布に亀裂が発生しない。
【００２２】
また非浸透性をもたせるためにピンホール等の無い外樹脂１２Ａを層状に塗布した為軟質発泡体９の発泡の途中段階で、金型内の発泡圧により軟質発泡体が滲み出さない。従って外観の見栄えの良い掃除の行い易い電気採暖具が得られる。
【００２３】
また外側からもお茶など液体をこぼしても、内部に浸透しない為、拭き取り易い防水防汚の電気採暖具が提供出来る。
【００２４】
また、滲み出しによる凹凸が無いために、凹凸にごみがたまり掃除がしにくいと言う事がない。さらに、滲み出した凹凸が摩擦によりはがれごみとなると言う事も無い。
【００２５】
また、基材１３に軟質発泡体が接着されているために、基材１３の経糸と緯糸の隙間に軟質発泡体が入り込んで絡んでいるので、裏布１０と軟質発泡体９の接着強度が得られ、使用途中での剥離の発生がない。
【００２６】
また、外樹脂層１２Ａは、滑り止め効果のあるぬめり性の有る樹脂を使用しているので、フローリング等で使用した場合でも、人が踏み込んだ時に移動しない使い勝手の良い電気採暖具が得られる。
【００２７】
以上の参考実施例１をふまえ次に本発明の実施例を図面を参照して説明する。
【００２８】
（実施例１）
図４は本発明の実施例１の電気採暖具を示し、参考実施例１と同一符号のものは、同一作用をする構成を示し、具体的説明は参考実施例１のものを援用する。なお、カバーは図示していない。
【００２９】
図４において、裏布１０は、熱延伸処理を施され、機械的強度が十分にあるフラットヤーン（糸条）を経糸と緯糸として織編組された基材１３に非浸透性をもたせるためにピンホールなどの無い外樹脂１２Ａと内樹脂１２Ｂが層状に塗布された構成となっている。外樹脂１２Ａの本体外側の面と内樹脂１２Ｂの軟質発泡体９との接着面には、微細な凹凸加工（マット処理）が施されている。また内樹脂層１２Ｂの軟質発泡体９との接着面には、コロナ放電処理が施されている。コロナ放電処理は、処理面を物理的に凹凸に粗らすと共に、化学的に結合しやすくする効果が認められている。
【００３０】
次に作用を説明する。基材１３の両面に外樹脂１２Ａと内樹脂１２Ｂを設けた為に、万一外樹脂１２Ａの層にピンホールなどが有っても対面の内樹脂層１２Ｂの同じ場所にピンホールがある可能性は、ほとんどない為、軟質発泡体９が裏布１０の外側へ滲み出す事がない。
【００３１】
また、外樹脂層１２Ａの本体外側の面に微細な凹凸加工（マット処理）が施されている為に、テカテカしないデザイン性の良い、汚れが付きにくい電気採暖具を提供できる。また、層状の内樹脂１２Ｂの軟質発泡体９との接着面に、微細な凹凸加工（マット処理）が施した為に、内樹脂１２Ｂと軟質発泡体９との接着面の接着面積を多く出来、裏布１０と軟質発泡体９の接着強度を大きく出来る。また層状の内樹脂１２Ｂの軟質発泡体９との接着面には、コロナ放電処理が施されている為に、裏布１０と軟質発泡体９の接着が強固になり、軟質発泡体９と裏布１０の接着性が良いため折り曲げ等により軟質発泡体９と裏布１０が外れて表面が凸凹にならず、裏布１０に皺の発生の無い電気採暖具が提供できる。
【００３２】
（実施例２）
図５は本発明の実施例２の電気採暖具を示し、参考実施例１と同一符号のものは、同一作用をする構成を示し、具体的説明は参考実施例１のものを援用する。なお、カバーは図示していない。
【００３３】
図５において、裏布１０の基材１３に穴シート１４が層状の内樹脂１２Ｂにより接着固定され、穴シート１４の微細な穴に軟質発泡体９が入り込んでいる。なお穴シート１４の代わりに内樹脂層１２Bに、微細な孔を設けても良い。また、穴シート１４の代わりに、毛羽立ちのある不織布等を設けても良い。
【００３４】
次に作用を説明する。穴シート１４の微細な穴に軟質発泡体９が入り込んでいる（アンカー効果）為に裏布１０と軟質発泡体９の接着が強固になり、軟質発泡体９と裏布１０の接着性が良いため折り曲げ等により軟質発泡体９と裏布１０が外れて表面が凸凹になったり裏布１０に皺の発生が無い電気採暖具が提供できる。
【００３５】
なお穴シート１４の代わりに層状の内樹脂１２Ｂに、微細な孔を設けても、同様の効果を期待出来る。また、穴シート１４の代わりに、毛羽立ちのある不織布等を設けても、不織布の毛羽立ちが軟質発泡体９と絡み合う（アンカー効果）為に裏布１０と軟質発泡体９の接着がさらに強固になり、同様の効果を期待出来る。
【００３６】
以上説明した参考実施例、及び各実施例の技術的意義を総括すれば、以下次の通りとなる。
【００３７】
（１）発熱体と、前記発熱体を覆う軟質発泡体からなる本体とを備え、前記本体の両外側の面叉は片側の面に、熱延伸処理されたフラットヤーン（糸条）を経糸と緯糸として織編組された基材に層状に樹脂を塗布する構成により非浸透性を有する表面材とした為に、敷居等の段差上で設置され上面から踏みつけられた場合でも、熱延伸処理を施している為に裏布に亀裂が発生せず、さらに樹脂の塗布により非浸透性とした為に軟質発泡体が表面外側に滲み出してこず、見栄えの良い掃除の行い易い電気採暖具を提供できる。
【００３８】
（２）織編組された基材の経糸と緯糸の隙間をなくした構成としたために、全面が熱延伸処理の施されたフラットヤーン（糸条）で覆われる事となる為、薄い非浸透性を有する層状の樹脂層に孔が開き、軟質発泡体が滲み出す事がない。
【００３９】
（３）織編組された基材の片側の面にのみ樹脂を塗布する構成とし、樹脂を塗布しない面を軟質発泡体との接着面としたため、軟質発泡体が、織編組された経糸と緯糸の隙間へ入り込みアンカー効果によって、軟質発泡体と表面材との接着強度が得られる。
【００４０】
（４）織編組された基材の両側面に層状に樹脂を塗布した為片面の樹脂層にピンホールなどが有っても対面の樹脂層の同じ場所にピンホールがある可能性は、ほとんどない為軟質発泡体が、表面材の外側へ滲み出す事がない。
【００４１】
（５）織編組された基材に塗布された樹脂の軟質発泡体との接着面にコロナ放電処理を施した構成としたため、軟質発泡体と表面材との接着強度が得られる。
【００４２】
（６）織編組された基材に層状に塗布された両樹脂の外側の面に微細な凹凸処理（マット処理）を施した為に、軟質発泡体との接着面では、軟質発泡体との接着面積を多く出来、軟質発泡体と表面材との接着強度を大きく出来る。また軟質発泡体との接着面と反対側の樹脂の外側の面に微細な凹凸処理を施した為、テカテカしないデザイン性の良い、埃の付着しにくい電気採暖具を提供できる。
【００４３】
（７）織編組された基材に層状に塗布された樹脂の軟質発泡体との接着面を穴のある構成としたため、軟質発泡体が穴の中へ入り込むアンカー効果によって、軟質発泡体と表面材との接着強度を増す事が出来る。
【００４４】
（８）織編組された基材に層状に塗布された樹脂には摩擦力の大きい滑り止め効果を有する樹脂を使用した為に、フローリング等で使用した場合でも、人が踏み込んだ時に移動しない使い勝手の良い電気採暖具が得られる。
【００４５】
【発明の効果】
以上のように本発明によれば、電気採暖具としての耐久性が著しく高まり、しかも外観性も大いに向上させることができるものである。
【図面の簡単な説明】
【図１】  本発明の参考実施例１の電気採暖具の外観斜視図
【図２】  本発明の参考実施例１の電気採暖具の基材の表面の模式図
【図３】  本発明の参考実施例１の電気採暖具の要部断面構成図
【図４】  本発明の実施例１の電気採暖具の要部断面構成図
【図５】  本発明の実施例２の電気採暖具の要部断面構成図
【図６】  従来の電気採暖具の要部断面構成図
【図７】  他の従来の採暖具の部分断面図
【図８】  従来の電気採暖具の要部断面構成図
【符号の説明】
２  発熱体
４  表布
９  軟質発泡体
１０  裏布
１２  樹脂層
１２Ａ  外樹脂層
１２Ｂ  内樹脂層
１３  基材
１４  穴シート
【図１】
0003911758.tif 000002
【図２】
0003911758.tif 000003
【図３】
0003911758.tif 000004
【図４】
0003911758.tif 000005
【図５】
0003911758.tif 000006
【図６】
0003911758.tif 000007
【図７】
0003911758.tif 000008
【図８】
0003911758.tif 000009